【手続補正書】
【提出日】平成19年11月6日(2007.11.6)
【手続補正１】
【補正対象書類名】特許請求の範囲
【補正対象項目名】全文
【補正方法】変更
【補正の内容】
【特許請求の範囲】
【請求項１】
データベースに登録される各コンテンツ毎に、そのコンテンツに対して求められた感性空間座標値がそのコンテンツのインデックスとしてデータベースに登録されており、検索時にはユーザによって入力された各感性語対毎の入力値に基づいて、入力された各感性語対毎の入力値に対応する感性空間座標値が算出され、算出された感性空間座標値との空間的距離が最も短いコンテンツを検索するデータベース検索装置において、
予め設定された各感性語対間の相関値に基づいて、ユーザによって入力された各感性語対毎の入力値を自動的に補正する入力値補正手段を備えており、
入力値補正手段は、
優先順位の高い１つの感性語対とそれより優先順位の低い１つの感性語対との組合せを、優先順位の高いものから順に、順次選択していく第１手段、
第１手段によって２つの感性語対が選択される毎に、当該２つの感性語対間の相関値に基づいて、当該２つの感性語対の入力値差の許容範囲を算出する第２手段、ならびに
第２手段によって２つの感性語対の入力値差の許容範囲が算出される毎に、当該２つの感性語対に対する入力値の差が、第２手段によって算出された許容範囲を越えているか否かを判別し、越えている場合には、当該２つの感性語対に対する入力値の差が上記許容範囲内となるように、当該２つの感性語対のうち優先順位の低い方の感性語対の入力値を補正する第３手段、
を備えていることを特徴とするデータベース検索装置。
【請求項２】
データベースに登録される各コンテンツ毎に、そのコンテンツに対して求められた感性空間座標値がそのコンテンツのインデックスとしてデータベースに登録されており、検索時にはユーザによって入力された各感性語対毎の入力値に基づいて、入力された各感性語対毎の入力値に対応する感性空間座標値が算出され、算出された感性空間座標値との空間的距離が最も短いコンテンツを検索するデータベース検索装置において、
予め設定された各感性語対間の相関値に基づいて、各感性語対毎の入力推奨範囲を表示する入力推奨範囲表示手段を備えており、
入力推奨範囲表示手段は、
優先順位の高い１つの感性語対とそれより優先順位の低い１つの感性語対との各組合せ毎に、両感性語対間の相関値に基づいて、優先順位の高い感性語対の現在の入力値に対する、優先順位の低い感性語対の入力許容範囲を算出する第１手段、
各感性語対毎に、その感性語対とそれより優先順位の高い感性語対それぞれとの各組合せに対して第１手段によって算出された各入力許容範囲の全てに共通している範囲を算出し、得られた範囲をその感性語対に対する入力推奨範囲として決定する第２手段、ならびに
第２手段によって各感性語対毎に決定された入力推奨範囲を表示させる第３手段、
を備えていることを特徴とするデータベース検索装置。
【請求項３】
複数のコンテンツが登録されると共に、各コンテンツ毎に、そのコンテンツに対して求められた感性空間座標値がそのコンテンツのインデックスとして登録されたデータベースを検索する場合に、ユーザによって入力された各感性語対毎の入力値に基づいて、入力された各感性語対毎の入力値に対応する感性空間座標値を算出し、算出した感性空間座標値との空間的距離が最も短いコンテンツを検索するデータベース検索方法において、
予め設定された各感性語対間の相関値に基づいて、ユーザによって入力された各感性語対毎の入力値を自動的に補正する入力値補正ステップを備えており、
入力値補正ステップは、
優先順位の高い１つの感性語対とそれより優先順位の低い１つの感性語対との組合せを、優先順位の高いものから順に、順次選択していく第１ステップ、
第１ステップにおいて２つの感性語対が選択される毎に、当該２つの感性語対間の相関値に基づいて、当該２つの感性語対の入力値差の許容範囲を算出する第２ステップ、ならびに
第２ステップにおいて２つの感性語対の入力値差の許容範囲が算出される毎に、当該２つの感性語対に対する入力値の差が、第２ステップにおいて算出された許容範囲を越えているか否かを判別し、越えている場合には、当該２つの感性語対に対する入力値の差が上記許容範囲内となるように、当該２つの感性語対のうち優先順位の低い方の感性語対の入力値を補正する第３ステップ、
を備えていることを特徴とするデータベース検索方法。
【請求項４】
複数のコンテンツが登録されると共に、各コンテンツ毎に、そのコンテンツに対して求められた感性空間座標値がそのコンテンツのインデックスとして登録されたデータベースを検索する場合に、ユーザによって入力された各感性語対毎の入力値に基づいて、入力された各感性語対毎の入力値に対応する感性空間座標値を算出し、算出した感性空間座標値との空間的距離が最も短いコンテンツを検索するデータベース検索方法において、
予め設定された各感性語対間の相関値に基づいて、各感性語対毎の入力推奨範囲を表示する入力推奨範囲表示ステップを備えており、
入力推奨範囲表示ステップは、
優先順位の高い１つの感性語対とそれより優先順位の低い１つの感性語対との各組合せ毎に、両感性語対間の相関値に基づいて、優先順位の高い感性語対の現在の入力値に対する、優先順位の低い感性語対の入力許容範囲を算出する第１ステップ、
各感性語対毎に、その感性語対とそれより優先順位の高い感性語対それぞれとの各組合せに対して第１ステップにおいて算出された各入力許容範囲の全てに共通している範囲を算出し、得られた範囲をその感性語対に対する入力推奨範囲として決定する第２ステップ、ならびに
第２ステップにおいて各感性語対毎に決定された入力推奨範囲を表示させる第３ステップ、
を備えていることを特徴とするデータベース検索方法。
【請求項５】
コンピュータに、
複数のコンテンツが登録されると共に、各コンテンツ毎に、そのコンテンツに対して求められた感性空間座標値がそのコンテンツのインデックスとして登録されたデータベースを検索する場合に、ユーザによって入力された各感性語対毎の入力値に基づいて、入力された各感性語対毎の入力値に対応する感性空間座標値を算出し、算出した感性空間座標値との空間的距離が最も短いコンテンツを検索するデータベース検索方法を実行させるためのデータベース検索プログラムにおいて、
前記データベース検索方法は、
予め設定された各感性語対間の相関値に基づいて、ユーザによって入力された各感性語対毎の入力値を自動的に補正する入力値補正ステップを備えており、
入力値補正ステップは、
優先順位の高い１つの感性語対とそれより優先順位の低い１つの感性語対との組合せを、優先順位の高いものから順に、順次選択していく第１ステップ、
第１ステップにおいて２つの感性語対が選択される毎に、当該２つの感性語対間の相関値に基づいて、当該２つの感性語対の入力値差の許容範囲を算出する第２ステップ、ならびに
第２ステップにおいて２つの感性語対の入力値差の許容範囲が算出される毎に、当該２つの感性語対に対する入力値の差が、第２ステップにおいて算出された許容範囲を越えているか否かを判別し、越えている場合には、当該２つの感性語対に対する入力値の差が上記許容範囲内となるように、当該２つの感性語対のうち優先順位の低い方の感性語対の入力値を補正する第３ステップ、
を備えていることを特徴とするデータベース検索プログラム。
【請求項６】
コンピュータに、
複数のコンテンツが登録されると共に、各コンテンツ毎に、そのコンテンツに対して求められた感性空間座標値がそのコンテンツのインデックスとして登録されたデータベースを検索する場合に、ユーザによって入力された各感性語対毎の入力値に基づいて、入力された各感性語対毎の入力値に対応する感性空間座標値を算出し、算出した感性空間座標値との空間的距離が最も短いコンテンツを検索するデータベース検索方法を実行させるためのデータベース検索プログラムにおいて、
前記データベース検索方法は、
予め設定された各感性語対間の相関値に基づいて、各感性語対毎の入力推奨範囲を表示する入力推奨範囲表示ステップを備えており、
入力推奨範囲表示ステップは、
優先順位の高い１つの感性語対とそれより優先順位の低い１つの感性語対との各組合せ毎に、両感性語対間の相関値に基づいて、優先順位の高い感性語対の現在の入力値に対する、優先順位の低い感性語対の入力許容範囲を算出する第１ステップ、
各感性語対毎に、その感性語対とそれより優先順位の高い感性語対それぞれとの各組合せに対して第１ステップにおいて算出された各入力許容範囲の全てに共通している範囲を算出し、得られた範囲をその感性語対に対する入力推奨範囲として決定する第２ステップ、ならびに
第２ステップにおいて各感性語対毎に決定された入力推奨範囲を表示させる第３ステップ、
を備えていることを特徴とするデータベース検索プログラム。
【手続補正２】
【補正対象書類名】明細書
【補正対象項目名】発明の名称
【補正方法】変更
【補正の内容】
【発明の名称】データベース検索装置、データベース検索方法、及びデータベース検索プログラム
【手続補正３】
【補正対象書類名】明細書
【補正対象項目名】０００８
【補正方法】変更
【補正の内容】
【０００８】
請求項２に記載の発明は、データベースに登録される各コンテンツ毎に、そのコンテンツに対して求められた感性空間座標値がそのコンテンツのインデックスとしてデータベースに登録されており、検索時にはユーザによって入力された各感性語対毎の入力値に基づいて、入力された各感性語対毎の入力値に対応する感性空間座標値が算出され、算出された感性空間座標値との空間的距離が最も短いコンテンツを検索するデータベース検索装置において、予め設定された各感性語対間の相関値に基づいて、各感性語対毎の入力推奨範囲を表示する入力推奨範囲表示手段を備えており、入力推奨範囲表示手段は、優先順位の高い１つの感性語対とそれより優先順位の低い１つの感性語対との各組合せ毎に、両感性語対間の相関値に基づいて、優先順位の高い感性語対の現在の入力値に対する、優先順位の低い感性語対の入力許容範囲を算出する第１手段、各感性語対毎に、その感性語対とそれより優先順位の高い感性語対それぞれとの各組合せに対して第１手段によって算出された各入力許容範囲の全てに共通している範囲を算出し、得られた範囲をその感性語対に対する入力推奨範囲として決定する第２手段、ならびに第２手段によって各感性語対毎に決定された入力推奨範囲を表示させる第３手段を備えていることを特徴とする。
請求項３に記載の発明は、複数のコンテンツが登録されると共に、各コンテンツ毎に、そのコンテンツに対して求められた感性空間座標値がそのコンテンツのインデックスとして登録されたデータベースを検索する場合に、ユーザによって入力された各感性語対毎の入力値に基づいて、入力された各感性語対毎の入力値に対応する感性空間座標値を算出し、算出した感性空間座標値との空間的距離が最も短いコンテンツを検索するデータベース検索方法において、予め設定された各感性語対間の相関値に基づいて、ユーザによって入力された各感性語対毎の入力値を自動的に補正する入力値補正ステップを備えており、入力値補正ステップは、優先順位の高い１つの感性語対とそれより優先順位の低い１つの感性語対との組合せを、優先順位の高いものから順に、順次選択していく第１ステップ、第１ステップにおいて２つの感性語対が選択される毎に、当該２つの感性語対間の相関値に基づいて、当該２つの感性語対の入力値差の許容範囲を算出する第２ステップ、ならびに第２ステップにおいて２つの感性語対の入力値差の許容範囲が算出される毎に、当該２つの感性語対に対する入力値の差が、第２ステップにおいて算出された許容範囲を越えているか否かを判別し、越えている場合には、当該２つの感性語対に対する入力値の差が上記許容範囲内となるように、当該２つの感性語対のうち優先順位の低い方の感性語対の入力値を補正する第３ステップを備えていることを特徴とする。
請求項４に記載の発明は、複数のコンテンツが登録されると共に、各コンテンツ毎に、そのコンテンツに対して求められた感性空間座標値がそのコンテンツのインデックスとして登録されたデータベースを検索する場合に、ユーザによって入力された各感性語対毎の入力値に基づいて、入力された各感性語対毎の入力値に対応する感性空間座標値を算出し、算出した感性空間座標値との空間的距離が最も短いコンテンツを検索するデータベース検索方法において、予め設定された各感性語対間の相関値に基づいて、各感性語対毎の入力推奨範囲を表示する入力推奨範囲表示ステップを備えており、入力推奨範囲表示ステップは、優先順位の高い１つの感性語対とそれより優先順位の低い１つの感性語対との各組合せ毎に、両感性語対間の相関値に基づいて、優先順位の高い感性語対の現在の入力値に対する、優先順位の低い感性語対の入力許容範囲を算出する第１ステップ、各感性語対毎に、その感性語対とそれより優先順位の高い感性語対それぞれとの各組合せに対して第１ステップにおいて算出された各入力許容範囲の全てに共通している範囲を算出し、得られた範囲をその感性語対に対する入力推奨範囲として決定する第２ステップ、ならびに第２ステップにおいて各感性語対毎に決定された入力推奨範囲を表示させる第３ステップを備えていることを特徴とする。
請求項５に記載の発明は、コンピュータに、複数のコンテンツが登録されると共に、各コンテンツ毎に、そのコンテンツに対して求められた感性空間座標値がそのコンテンツのインデックスとして登録されたデータベースを検索する場合に、ユーザによって入力された各感性語対毎の入力値に基づいて、入力された各感性語対毎の入力値に対応する感性空間座標値を算出し、算出した感性空間座標値との空間的距離が最も短いコンテンツを検索するデータベース検索方法を実行させるためのデータベース検索プログラムにおいて、前記データベース検索方法は、予め設定された各感性語対間の相関値に基づいて、ユーザによって入力された各感性語対毎の入力値を自動的に補正する入力値補正ステップを備えており、入力値補正ステップは、優先順位の高い１つの感性語対とそれより優先順位の低い１つの感性語対との組合せを、優先順位の高いものから順に、順次選択していく第１ステップ、第１ステップにおいて２つの感性語対が選択される毎に、当該２つの感性語対間の相関値に基づいて、当該２つの感性語対の入力値差の許容範囲を算出する第２ステップ、ならびに第２ステップにおいて２つの感性語対の入力値差の許容範囲が算出される毎に、当該２つの感性語対に対する入力値の差が、第２ステップにおいて算出された許容範囲を越えているか否かを判別し、越えている場合には、当該２つの感性語対に対する入力値の差が上記許容範囲内となるように、当該２つの感性語対のうち優先順位の低い方の感性語対の入力値を補正する第３ステップを備えていることを特徴とする。
請求項６に記載の発明は、コンピュータに、複数のコンテンツが登録されると共に、各コンテンツ毎に、そのコンテンツに対して求められた感性空間座標値がそのコンテンツのインデックスとして登録されたデータベースを検索する場合に、ユーザによって入力された各感性語対毎の入力値に基づいて、入力された各感性語対毎の入力値に対応する感性空間座標値を算出し、算出した感性空間座標値との空間的距離が最も短いコンテンツを検索するデータベース検索方法を実行させるためのデータベース検索プログラムにおいて、前記データベース検索方法は、予め設定された各感性語対間の相関値に基づいて、各感性語対毎の入力推奨範囲を表示する入力推奨範囲表示ステップを備えており、入力推奨範囲表示ステップは、優先順位の高い１つの感性語対とそれより優先順位の低い１つの感性語対との各組合せ毎に、両感性語対間の相関値に基づいて、優先順位の高い感性語対の現在の入力値に対する、優先順位の低い感性語対の入力許容範囲を算出する第１ステップ、各感性語対毎に、その感性語対とそれより優先順位の高い感性語対それぞれとの各組合せに対して第１ステップにおいて算出された各入力許容範囲の全てに共通している範囲を算出し、得られた範囲をその感性語対に対する入力推奨範囲として決定する第２ステップ、ならびに第２ステップにおいて各感性語対毎に決定された入力推奨範囲を表示させる第３ステップを備えていることを特徴とする。